(57)【特許請求の範囲】
【請求項１】
壜体口筒に組付くキャップ本体（１）と、該キャップ本体（１）の外周面上端に設けたヒンジ（１８）で結合され、該ヒンジ（１８）の反対側に開放操作用の指掛け片（１６）を突設した蓋体（１３）とから成るヒンジキャップにおいて、
前記指掛け片（１６）と略同じ平面形状および大きさを有し、前記蓋体（１３）を閉じた姿勢で、該指掛け片（１６）の下面に上面が略密に接触し、かつ該指掛け片（１６）に上下にほぼ重なる係合片（３）を、前記キャップ本体（１）の外周面上端に、肉薄な破断片（４）を介して一体に設け、
前記係合片（３）の上面と指掛け片（１６）の下面のいずれか一方に係合突片（１９）を突設し、他方に該係合突片（１９）全体が嵌入係合する係合穴（２０）を設け、かつ、係合突片（１９）の周面および係合穴（２０）の周面に、係合突片（１９）の係合穴（２０）からの抜け出しに強い抵抗力を発揮する係止機能部（２１）を設けて成る不正開放防止機能付きヒンジキャップ。
【請求項２】
係止機能部（２１）を、強い弾接構造で構成した請求項１記載の不正開放防止機能付きヒンジキャップ。
【請求項３】
係止機能部（２１）を、アンダーカット結合構造で構成した請求項１記載の不正開放防止機能付きヒンジキャップ。
【請求項４】
係止機能部（２１）を、細かい多数の凹凸（２４）で構成した請求項１記載の不正開放防止機能付きヒンジキャップ。
【発明の詳細な説明】
【０００１】
【発明の属する技術分野】
本発明は、壜体に組付けられ、この壜体の開閉を達成する、不正開放防止機能を備えた合成樹脂製ヒンジキャップに関するものである。
【０００２】
【従来の技術】
不正開放防止機能を備えたヒンジキャップの代表例として、実開昭６３−１６６９５４号公報記載のものが知られている。
【０００３】
この公報記載のヒンジキャップは、容器の口部に嵌着される内容物注出口をもった栓本体の一側にこの栓本体の上部に着脱可能に被冠されるキャップをヒンジ部を介して一体に形成した合成樹脂製の口栓において、栓本体の外周に、栓本体と間隙を存して対向しかつ両端において栓本体と連結する帯片を一体に形成するとともに、キャップにはこのキャップを栓本体に被冠させたときに帯片と栓本体との間に挿入される掛止爪を一体に形成し、かつ栓本体の帯片に、挿入されたキャップの掛止爪を掛止して、この掛止爪の上方への抜出しを阻止する掛止部と掛止爪の外周を覆うカバー部とを形成したものである。
【０００４】
【発明が解決しようとする課題】
しかしながら、上記した従来技術にあっては、不正開放防止のための係止部分を構成する帯片と掛止爪の構造が複雑であるばかりでなく、帯片の掛止部と掛止爪の爪部との乗り越えによる係止組付けの際に、掛止部の爪部乗り越えのために帯片が回動変位することが要求されるが、この帯片の回動変位のための回動変位軸心を栓本体連結部の無理な撓み変形により提供することになるので、不正開放防止機能を発揮する前に、栓本体連結部に破断等の損傷が発生し易い、という問題があった。
【０００５】
また、上記係止状態においては、単に帯片の掛止部に掛止爪の爪部が下方から係止しているだけであるので、掛止部と爪部との係止を不正に解除しようとする場合には、帯片を、掛止部と爪部との係止を解くだけ外方に撓ませて変位させるだけで良く、不正開放防止効果は必ずしも充分とは言えない、という問題があった。
【０００６】
そこで、本発明は、上記した従来技術における問題点を解消すべく創案されたもので、不正開放防止のための機能部分の他方との係止組付きを、変形を要することなく達成できるようにすることを技術的課題として、もって係止組付け操作を簡単で安全なものとすると共に、確実な不正開放防止機能を発揮し得るようにすることを目的とする。
【０００７】
【課題を解決するための手段】
上記技術的課題を解決する本発明の内、請求項１記載の発明の手段は、
壜体口筒に組付くキャップ本体と、このキャップ本体にヒンジで結合され、このヒンジの反対側に開放操作用の指掛け片を突設した蓋体とから成るヒンジキャップであること、
指掛け片と略同じ平面形状および大きさを有し、閉姿勢でこの指掛け片の下面に上面を略密に接触させる係合片を、キャップ本体の外周面上端に、肉薄な破断片を介して一体設すること、
キャップ本体の係合片の上面と蓋体の指掛け片の下面の一方に係合突片を突設すると共に、他方にこの係合突片全体が嵌入係合する係合穴を設けること、
係合突片の周面および係合穴の周面に、係合突片の係合穴からの抜け出しに強い抵抗力を発揮する係止機能部を設けること、
にある。
【０００８】
請求項２記載の発明は、請求項１記載の発明の係止機能部を、強い弾接構造で構成したものである。
【０００９】
請求項３記載の発明は、請求項１記載の発明の係止機能部を、アンダーカット結合構造で構成したものである。
【００１０】
請求項４記載の発明は、請求項１記載の発明の係止機能部を、細かい多数の凹凸構造で構成したものである。
【００１１】
キャップの開封前の状態においては、キャップ本体の係合片および蓋体の指掛け片に設けた係合突片と係合穴とが、係止機能部を介して強固に係合して、蓋体の開放を阻止している。
【００１２】
この封鎖状態から、蓋体を最初に開放する際には、破断片を破断して係合片をキャップ本体から分離してから蓋体を開放方向に回動させるか、あるいは、破断片が通常の開放操作力で破断される程度の強度で予め成形されているので、当初から蓋体に通常の開放力をさせ、破断片を破断しながら蓋体を開放方向に回動させる。
【００１３】
何方の場合にせよ、蓋体を最初に開放するためには、破断片を破断することが必要であり、このためこの破断片の破断の有無を観察することにより、ヒンジキャップの不正開放の有無を簡単にかつ正確に識別することができる。
【００１４】
また、キャップ本体の係合片に対する蓋体の指掛け片の係止組付けは、蓋体を閉じることによって単に係合穴に係合突片を嵌合させるだけでよいので、破断片に引張り力等の無理な力が加わることはなく、この破断片が係止組付け時に破断等の損傷を受けることは全くない。
【００１５】
さらに、係合片と指掛け片とは、略同じ平面形状および大きさに形成されており、かつ係止機能部により係合突片と係合穴とが強固に係合した状態で密接しているので、破断片を破断することなく指掛け片を係合片から離脱させて蓋体を開放することは不可能であり、よって不正開放を確実に防止することができる。
【００１６】
【発明の実施の形態】
図１〜図３は本発明の第一実施例を示したもので、ヒンジキャップは、壜体口筒に組付くキャップ本体１と、このキャップ本体１の後端にヒンジ１８を介して連結された蓋体１３とから構成されている。
【００１７】
キャップ本体１は、壜体口筒の外周に嵌着する組付き筒２の内方に、頂板５を介して、壜体口筒の内周面に密接するシール筒６を連設すると共に、頂板５の上面内側には注出口を形成する注出筒片７が、外側には蓋体１３の周壁１５が係脱可能に外嵌する嵌着筒片８がそれぞれ立設されている。
【００１８】
キャップ本体１の注出口の底面は、破断溝１０の内側部分を除去壁部１１とした口壁９で閉塞されており、この除去壁部１１は、その上面に一体設されたプルリング１２を使用時に引き上げることにより、破断溝１０部分で破断されて除去される。
【００１９】
キャップ本体１の組付き筒２の外周面の前面上端には、平面略三日月状の係合片３が、その両側端の肉薄な破断片４を介して一体設されており、この係合片３の上面には、円柱状の係合突片１９が立設されている。
【００２０】
蓋体１３は、その周壁１５の前面下端に、キャップ本体１の係合片３と略同じ平面形状および大きさに形成された指掛け片１６が一体設されており、この指掛け片１６の下面には、係合突片１９全体が強固に嵌入係合する係合穴２０が設けてある（図３参照）。
【００２１】
蓋体１３の頂壁１４の内面には、蓋体１３の閉状態において注出筒片７の内周面に密接して注出口を密閉する栓筒片１７が突設されている。
【００２２】
係合突片１９と係合穴２０とは、その嵌合状態において、互の周面同士の強い弾接により、係合突片１９の抜け出しに強い抵抗力を発揮するような外径および内径に設定されて、係止機能部２１を構成している。
【００２３】
図４に示す本発明の第二実施例では、係止機能部２１をアンダーカット結合構造により構成したもので、係合突片１９の外周面の先端側に膨出部２２を周設すると共に、係合穴２０の内周面の開口側に狭小部２３を形成し、この狭小部２３と膨出部２２との係止により、係合突片１９の抜け出しを防止している。
【００２４】
また、図５に示す第三実施例では、係止機能部２１を細かい多数の凹凸２４で構成したもので、係合突片１９の外周面全体と係合穴２０の内周面全体とに細かい多数の凹凸２４を形成して粗面構造とし、それらの粗面同士の強力な摩擦抵抗力により、係合突片１９の係合穴２０からの抜け出しを防止している。
【００２５】
なお、本発明は、以上の各実施例とは逆の構成、すなわち、係合片３に係合穴２０を設け、指掛け片１６に係合突片１９を突設した構成でもよいことは勿論である。
【００２６】
【発明の効果】
本発明は、上記した構成となっているので、以下に示す効果を奏する。
係合片と指掛け片とは、略同じ平面形状および大きさに形成されており、かつ係止機能部により係合突片と係合穴とが強固に係合した状態で略密接しているので、破断片を破断することなく指掛け片を係合片から離脱させて蓋体を開放することは不可能であり、よって不正開放を確実に防止することができると共に、この破断片の破断の有無を観察することにより、ヒンジキャップの不正開放の有無を簡単にかつ正確に識別することができる。
【００２７】
係合片と指掛け片との係止手段を、簡単な構造の係合突片と係合穴とで構成したので、不正開放防止のための係止構造が簡略化されると共に、係合片に対する指掛け片の係止組付けは、蓋体を閉じた状態で、上下から挟圧すると云う単純な操作により、係合穴に係合突片を嵌合させるだけでよいので、破断片に引張り力等の無理な力が加わることはなく、この破断片が係止組付け時に破断等の損傷を受けることは全くない。
【図面の簡単な説明】
【図１】本発明の第一実施例を示す、セット前の状態の全体縦断側面図。
【図２】図１に示した実施例における、セット前の状態の全体平面図。
【図３】図１に示した実施例における、セット状態の要部拡大縦断側面図。
【図４】本発明の第二実施例を示す、セット状態の要部拡大縦断側面図。
【図５】本発明の第三実施例を示す、セット状態の要部拡大不規則縦断側面図。
【符号の説明】
１  ；  キャップ本体
２  ；  組付き筒
３  ；  係合片
４  ；  破断片
５  ；  頂板
６  ；  シール筒
７  ；  注出筒片
８  ；  嵌着筒片
９  ；  口壁
１０；  破断溝
１１；  除去壁部
１２；  プルリング
１３；  蓋体
１４；  頂壁
１５；  周壁
１６；  指掛け片
１７；  栓筒片
１８；  ヒンジ
１９；  係合突片
２０；  係合穴
２１；  係止機能部
２２；  膨出部
２３；  狭小部
２４；  凹凸
【図１】
0003785494.tif 000002
【図２】
0003785494.tif 000003
【図３】
0003785494.tif 000004
【図４】
0003785494.tif 000005
【図５】
0003785494.tif 000006